(57)【要約】【課題】複数の携帯端末間でより効果的な広告配信を行うとともに、ユーザ自身で広告を削除する広告伝播システムを提供すること。【解決手段】広告を配信する配信条件を含む広告において、前記広告を配信する配信端末は、配信端末の存在する位置に関する状態情報を取得する機能と、取得した前記状態情報と前記配信条件を比較する機能と、比較した結果、配信条件にあう広告のみを配信する機能を備え、前記配信端末から前記広告を受信する受信端末は、ユーザ手動による広告選択削除機能を備えていることを特徴とする広告伝播システム。【選択図】図４
2011107946.tif 000002
【特許請求の範囲】
【請求項１】
広告を配信する配信条件を含む広告において、前記広告を配信する配信端末は、配信端末の存在する位置に関する状態情報を取得する機能と、取得した前記状態情報と前記配信条件を比較する機能と、比較した結果、配信条件にあう広告のみを配信する機能を備え、前記配信端末から前記広告を受信する受信端末は、ユーザ手動による広告選択削除機能を備えていることを特徴とする広告伝播システム。
【請求項２】
前記配信条件は日時情報範囲であり、前記状態情報は日時情報であることを特徴とする請求項１記載の広告伝播システム。
【請求項３】
前記日時情報範囲は、年又は月又は日又は曜日又は時刻であることを特徴とする請求項２記載の広告伝播システム。
【請求項４】
前記日時情報の取得は、前記配信端末に付属するインターネット接続機能を利用したインターネット接続先のサーバ又は標準電波受信機又は時計から得られることを特徴とする請求項２又は３に記載の広告伝播システム。
【請求項５】
前記配信条件は環境情報範囲であり、前記状態情報は環境情報であることを特徴とする請求項１記載の広告伝播システム。
【請求項６】
前記環境情報は、天気又は気温又は湿度又は日照量又は降水量又は気圧又は花粉飛散量又は紫外線指数であることを特徴とする請求項５記載の広告伝播システム。
【請求項７】
前記環境情報の取得は、前記配信端末に付属するインターネット接続機能を利用したインターネット接続先のサーバ又はセンサから得られることを特徴とする請求項５又は６に記載の広告伝播システム。
【請求項８】
前記配信条件は、１つ以上の組み合わせ利用又は条件無し利用であることを特徴とする請求項１記載の広告伝播システム。
【発明の詳細な説明】
【技術分野】
【０００１】
本発明は、複数の携帯端末間で順次繰り返しながら広告を配信するための広告伝播システムに関する。
【背景技術】
【０００２】
従来から、事業者が顧客に対して商品やサービス等の内容を宣伝する広告を配信する場合には、ダイレクトメールが用いられている。
【０００３】
近年では、インターネットの普及に伴い、メールマガジンを用いて顧客の所有するＰＣや携帯電話等に広告を配信する方法が一般的になってきている。
【０００４】
特許文献１には、顧客の配信希望を加味して携帯端末間で広告を配信する広告配信システムが記載されている。この広告配信システムでは、広告を配信する側の携帯端末に保存されている広告に含まれる広告キーワードと、広告を受信する側の携帯端末に予め設定されている広告キーワードを比較して、一致した広告のみを携帯端末間で配信する。これを順次繰り返すことで複数の携帯端末間に広告を配信する。
【０００５】
また、特許文献１に記載された広告配信システムでは、広告毎に設定されている配信区域と携帯端末の存在する現在位置を随時比較して、携帯端末の現在位置が配信区域外になると、携帯端末から該当の広告を自動的に削除する。
【先行技術文献】
【特許文献】
【０００６】
【特許文献１】特開２００９−１２３１４２号公報
【発明の概要】
【発明が解決しようとする課題】
【０００７】
特許文献１に記載された広告配信システムでは、配信区域を利用して広告を配信しているが、広告をより効果的に配信するためには、広告の配信区域の他に、配信期間も考慮した方がよい場合がある。例えば、期間限定の商品やサービスを記載している広告の場合、期間中に集中的に広告を配信することで、売上増加や集客力増加が期待できるし、期間終了後、広告の配信を停止することで、訴求力の無い無駄な広告を抑制できる。
【０００８】
また、特許文献１に記載された広告配信システムでは、広告に設定されている配信区域外に移動してしまうと、広告は自動的に削除されるが、広告が自動的に削除されてしまうとユーザに不利益な場合がある。例えば、店舗の地図と特売情報が掲載されている広告の場合、広告を受け取ったユーザが、家に持ち帰ってゆっくり広告の内容を検討しようとした時、もし家が配信区域外にあると、既に広告は削除されているため、広告を見ることができず、店舗の場所もわからなくなってしまい、店舗に行けなくなってしまうことがありうる。
【０００９】
ところで、広告に記載する商品やサービス等には、春夏秋冬等の季節、金曜日等の曜日、夕方等の時間帯、晴れや雨等の天気、気温等に応じて売上が大幅に変化するものも少なくない。例えば、コンビニ業界等では、アイスクリームは気温が２５度以上になると売上が大幅に伸び、おでんは１８度以下になると売上が大幅に伸びることが一般に知られている。
【００１０】
従って、本発明が解決しようとする課題は、複数の携帯端末間でより効果的な広告配信を行うとともに、ユーザ自身で広告を削除する広告伝播システムを提供することにある。
【課題を解決するための手段】
【００１１】
本発明において上記課題を解決するために、まず請求項１の発明では、広告を配信する配信条件を含む広告において、前記広告を配信する配信端末は、配信端末の存在する位置に関する状態情報を取得する機能と、取得した前記状態情報と前記配信条件を比較する機能と、比較した結果、配信条件にあう広告のみを配信する機能を備え、前記配信端末から前記広告を受信する受信端末は、ユーザ手動による広告選択削除機能を備えていることを特徴とする広告伝播システムとしたものである。
【００１２】
また請求項２の発明では、前記配信条件は日時情報範囲であり、前記状態情報は日時情報であることを特徴とする請求項１記載の広告伝播システムとしたものである。
【００１３】
また請求項３の発明では、前記日時情報範囲は、年又は月又は日又は曜日又は時刻であることを特徴とする請求項２記載の広告伝播システムとしたものである。
【００１４】
また請求項４の発明では、前記日時情報の取得は、前記配信端末に付属するインターネット接続機能を利用したインターネット接続先のサーバ又は標準電波受信機又は時計から得られることを特徴とする請求項２又は３に記載の広告伝播システムとしたものである。
【００１５】
また請求項５の発明では、前記配信条件は環境情報範囲であり、前記状態情報は環境情報であることを特徴とする請求項１記載の広告伝播システムとしたものである。
【００１６】
また請求項６の発明では、前記環境情報は、天気又は気温又は湿度又は日照量又は降水量又は気圧又は花粉飛散量又は紫外線指数であることを特徴とする請求項５記載の広告伝播システムとしたものである。
【００１７】
また請求項７の発明では、前記環境情報の取得は、前記配信端末に付属するインターネット接続機能を利用したインターネット接続先のサーバ又はセンサから得られることを特徴とする請求項５又は６に記載の広告伝播システムとしたものである。
【００１８】
また請求項８の発明では、前記配信条件は、１つ以上の組み合わせ利用又は条件無し利用であることを特徴とする請求項１記載の広告伝播システムとしたものである。
【発明の効果】
【００１９】
本発明に係る広告伝播システムによれば、携帯端末により取得した現在の日付や携帯端末の存在する環境等に応じて、適切な広告を配信することができるため、広告主にとって、集客力増加や売上増加が期待できる。また、関心のある広告をいつまでも保存できるため、ユーザにとって、購買意欲の促進が見込まれる。
【図面の簡単な説明】
【００２０】
【図１】本発明の実施の第１形態として、遊園地での活用を示す図である。
【図２】本発明の第２形態として、携帯端末の存在する位置の気温に応じて配信広告を変更する例を示す図である。
【図３】本発明の第３形態として、配信期間内のみ広告を配信する例を示す図である。
【図４】本発明の実施の各形態で使用する携帯端末の一例を示す図である。
【発明を実施するための形態】
【００２１】
以下、本発明を実施するための形態について図面を用いて説明する。
【実施例１】
【００２２】
図１は、本発明の第１の実施の形態を示す説明図である。広告を配信する場所は遊園地１４１の観覧車アトラクション前である。観覧車アトラクション担当者１２１の所有する携帯端末１１１には、「次回来園時、観覧車アトラクション優先入場券」という広告１３１が保存されている。アトラクション担当者１２１は観覧車アトラクションの出口で待機しており、観覧車アトラクションを終えたユーザ１２２に対して広告を配信する。
【００２３】
アトラクション担当者１２１、ユーザ１２２は、それぞれ所有する携帯端末１１１、１１２を操作して広告配信プログラムを起動させ、お互いに無線通信できる状態にしておく。
【００２４】
携帯端末１１１は、携帯端末１１１の無線通信可能な範囲に存在する無線通信が可能なユーザ１２２の所有する携帯端末１１２を検出すると、携帯端末１１１に保存している広告１３１の配信条件を確認する。広告１３１には特に配信条件が設定されていないため、携帯端末１１１は携帯端末１１２に広告１３１を配信する。
【００２５】
広告１３１を受信した携帯端末１１２を所有するユーザ１２２は、遊園地１４１を楽しんだ後、遊園地１４１を後にし、自宅１５１へ帰宅する。
【００２６】
本人にとって広告１３１が今後も有益であると判断した場合には、広告１３１を携帯端末１１２に保存したままにしておく。本人にとって広告１３１が無益であると判断した場合には、ユーザ１２２は携帯端末１１２を操作して、広告１３１を削除する。
【００２７】
以上のように、本実施の形態によれば、遊園地１４１の敷地外に移動しても広告１３１は自動的に削除されないため、もし広告１３１を受信したユーザ１２２にとって、遊園地１４１が楽しく、広告１３１の特典を利用したいと思っていれば、ユーザ１２２は広告１３１をずっと保持したままにできる。遊園地１４１にとって、再来園の意欲を促進させることにつながる。もしユーザ１２２にとって、遊園地１４１がつまらなく、二度と行きたくないと思っていれば、ユーザ１２２はユーザ自身の操作で広告１３１をいつでも削除することができる。
【実施例２】
【００２８】
図２は、本発明の第２の実施の形態を示す説明図である。ユーザ２２１の所有する携帯端末２１１が保存している２つの広告２３１、２３２には、それぞれアイスクリーム商品、おでん商品が記載されている。また、広告２３１、２３２に設定されて、広告２３１、２３２に含まれている配信条件はそれぞれ気温２５℃以上、気温１８℃以下である。各ユーザは各々の携帯端末を操作して広告配信プログラムを起動させ、お互いに無線通信できるような状態にしておく。
【００２９】
携帯端末２１１は、無線通信可能な範囲に存在する無線通信可能なユーザ２２２の所有する携帯端末２１２を検出すると、携帯端末２１１に付属するＧＰＳ（Ｇｌｏｂａｌ  Ｐｏｓｉｔｉｏｎｉｎｇ  Ｓｙｓｔｅｍ）受信機を利用して、携帯端末２１１の現在位置を取得する。
【００３０】
携帯端末２１１は、携帯端末２１１に付属するインターネット接続機能を利用して、例
えば、インターネット接続先にある気象庁のホームページ等から、携帯端末２１１の現在位置をエリアに持つ都市や市町村の気温を取得する。
【００３１】
もし携帯端末２１１が取得した現在位置に関する気温が３０℃であれば、配信条件にあう広告２３１のみを携帯端末２１１の無線通信可能な範囲にいるユーザ２２２の所有する携帯端末２１２に配信する。
【００３２】
もし携帯端末２１１が取得した現在位置に関する気温が１５℃であれば、配信条件にあう広告２３２のみを携帯端末２１１の無線通信可能な範囲にいるユーザ２２２の所有する携帯端末２１２に配信する。
【００３３】
同様にして、ユーザ２２２の所有する携帯端末２１２は、配信条件にあう広告のみを携帯端末２１２の無線通信可能な範囲にいるユーザ２２３の所有する携帯端末２１３に配信する。
【００３４】
以上のように、本実施の形態によれば、現在位置に関する気温に応じて、適切な広告のみを配信することができるため、広告の無駄な配信を抑制でき、訴求力のある広告を配信することができる。
【００３５】
また、本実施の形態では、現在位置に関する気温を取得する手段として、インターネット接続先のサーバから気温を取得する方法を示したが、携帯端末に温度センサを付属させてもよい。温度センサを利用すれば、現在位置に関するより精度の高い温度を取得できる。
【実施例３】
【００３６】
図３は、本発明の第３の実施の形態を示す説明図である。ユーザ３２１の所有する携帯端末３１１が保存している広告３３１はカメラ商品であり、広告３３１の特売期間Ａ年Ｂ月Ｃ日からＡ年Ｂ月Ｅ日までを広告３３１の配信条件として設定しており、この配信条件は広告３３１に含まれる。各ユーザは各々の携帯端末を操作して、広告配信プログラムを起動させ、お互いに無線通信できるような状態にしておく。
【００３７】
携帯端末３１１は、携帯端末３１１に付属するインターネット接続機能を利用して、インターネット接続先のＮＴＰ（Ｎｅｔｗｏｒｋ  Ｔｉｍｅ  Ｐｒｏｔｏｃｏｌ）サーバから、現在の年月日を取得する。
【００３８】
携帯端末３１１が取得した年月日がＡ年Ｂ月Ｂ日の場合、携帯端末３１１は、携帯端末３１１の無線通信可能な範囲にいるユーザ３２２の携帯端末３１２を発見しても、広告３３１の配信期間前のため、携帯端末３１２に広告３３１を配信しない。
【００３９】
携帯端末３１１が取得した年月日がＡ年Ｂ月Ｃ日の場合、広告３３１の配信期間内のため、携帯端末３１１は、携帯端末３１１の無線通信可能な範囲にいるユーザ３２２、３２３の携帯端末３１２、３１３に広告３３１を配信する。
【００４０】
同様にして、配信期間終了となるＡ年Ｂ月Ｅ日まで、ユーザ３２４、３２５、３２６の所有する携帯端末３１４、３１５、３１６に広告３３１を順次繰返し配信されていく。
【００４１】
配信期間中に、ユーザ３２６の所有する携帯端末３１６は広告３３１を受信しているとする。Ａ年Ｂ月Ｆ日、携帯端末３１６は携帯端末３１６の無線通信可能な範囲にいるユーザ３２７の所有する携帯端末３１７を発見するが、広告３３１の配信期間外なので、携帯端末３１６は携帯端末３２６に広告３３１を配信しない。
【００４２】
以上のように、本実施の形態によれば、配信期間内のみ広告を携帯端末間で順次繰返し配信し続けることができ、配信期間を過ぎると、広告を配信しないようにできる。
【００４３】
また、本実施の形態では、広告３３１に掲載されている商品の特売期間と広告３３１に設定されている配信年月日範囲を同一にしていたが、特売開始日以前の日を配信年月日範囲として設定してもよい。そうすれば、特売期間前に特売情報を事前に告知することができ、更なる集客力増加を期待できる。
【００４４】
また、本実施の形態では、現在の日時を取得する手段として、ＮＴＰサーバを利用したが、インターネットに接続できないような場所では、携帯端末に内蔵する時計を用いてもよい。
【実施例４】
【００４５】
図４は、本発明を実施するための携帯端末の構成の一例を示す説明図である。本発明の広告伝播システムは、広告を配信する側の携帯端末４００と、広告を受信する側の携帯端末４１０から構成されている。これらの携帯端末４００、４１０は、Ｐｅｅｒ  ｔｏ  Ｐｅｅｒの無線通信可能な範囲を有しており、この無線通信可能な範囲内で互いに存在を検出して無線通信を行うことができる。
【００４６】
携帯端末４００は、受信側の携帯端末４１０とＰｅｅｒ  ｔｏ  Ｐｅｅｒによる無線通信又はインターネット接続先のサーバと無線通信を行うための無線通信装置４０４と、携帯端末４００の現在位置を取得するためのＧＰＳ受信機４０２と、携帯端末４００の現在位置に関する気温等の各種の情報を取得するためのセンサ４０３と、各種のプログラムや広告を保存するための記憶装置４０６と、配信条件等を入力するための入力装置４０１と、広告を画面表示するための画面表示装置４０７と、広告の音声を出力するための音声出力装置４０８と、各種のプログラムを実行することで、以下に説明する処理を行う制御装置４０５と、アンテナ４０９を備えている。携帯端末４１０も同様に、無線通信装置４１４と、ＧＰＳ受信機４１２、センサ４１３、記憶装置４１６、入力装置４１１、画面表示装置４１７、音声出力装置４１８、制御装置４１５と、アンテナ４１９を備えている。
【００４７】
入力装置４０１は、ユーザが携帯端末４００を操作するためのボタンや、文字等を入力するためのボタンから構成されている。この入力装置４０１によって、配信を希望する広告を選択し、配信条件を広告に設定して、この広告に含める。
【００４８】
携帯端末４００、４１０の制御装置４０５、４１５は、ユーザの操作に応じて記憶装置４０６、４１６に記憶された広告配信プログラムを起動させる処理を行い、お互いに無線通信可能な状態にしておく。
【００４９】
制御装置４０５は、無線通信装置４０４、アンテナ４０９を介して無線通信可能な範囲に存在する無線通信が可能な携帯端末を検出する処理を行う。
【００５０】
無線通信可能な範囲に存在する無線通信が可能な携帯端末４１０を検出すると、制御装置４０５はＧＰＳ受信機４０２を利用して、ＧＰＳ用のサーバとの間で携帯端末４００の現在位置を取得するための通信を行い、携帯端末４００の現在位置を取得する。
【００５１】
制御装置４０５は、センサ４０３から、或いは、携帯端末４００の現在位置をもとに、無線通信装置４０４、アンテナ４０９を介して、インターネット網４２０のサーバから、携帯端末４００の現在位置に関する気温等の状態情報を取得する。
【００５２】
制御装置４０５は、取得した気温等の状態情報と、広告毎に設定されている配信条件を比較し、配信条件にあう広告のみを無線通信装置４０４、アンテナ４０９を介して携帯端末４１０に送信する。
【００５３】
アンテナ４１９、無線通信装置４１４を介して広告を受信した携帯端末４１０は、制御装置４１５を通じて記憶装置４１６に広告を保存する。
【００５４】
制御装置４１５は、ユーザの入力装置４０１による操作に応じて、記憶装置４１６に保存されている広告を画面表示装置４１７に表示したり、或いは音声出力装置４１８に出力したり、或いは記憶装置４１６から削除する。
【００５５】
以上のように、本実施の形態における広告伝播システムでは、無線通信可能な範囲内にいる携帯端末に広告を配信することができる。
【００５６】
また、本実施の形態によれば、広告毎に設定されている配信条件に従って広告を配信するため、携帯端末の存在する場所に応じて適切な広告を配信することができる。
【００５７】
なお、携帯端末４１０に広告が配信され記憶装置４１６に保存された後は、この携帯端末４１０が携帯端末４００として動作し、携帯端末４１０の通信可能な範囲内に存在する他の携帯端末に対して、携帯端末４００と同様にして広告を配信することができる。このように、順次繰り返しながら広告を配信することでより多くのユーザに広告を配信することができる。
【００５８】
また、受信した広告は、ユーザが削除しない限りいつまでも保持することができるため、ユーザは、気に入った広告をいつでも見ることができる。従って、ユーザの購買意欲を促進させ、広告主は集客力増加を期待できる。
【００５９】
なお、全ての実施の形態において、広告主が携帯端末に広告を事前に保存する手段について特に言及していないが、携帯端末の無線通信装置を利用してインターネット接続先のサーバから広告を取得してもよいし、携帯端末の入力装置を用いて広告を作成してもよい。また、携帯端末に広告を受信するためのＵＳＢ等のコネクタを装備して広告を取得してもよい。
【００６０】
また、全ての実施の形態では、携帯端末の現在位置の取得する手段において、携帯端末に付属するＧＰＳ受信機を利用したが、通信事業者が提供する位置情報サービス（例えば、株式会社エヌ・ティ・ティ・ドコモでは「ｉエリア」）より得られる位置情報を利用して実現してもよい。
【００６１】
また、本発明の提案する携帯端末を実現するためには携帯電話やＰＤＡやノートＰＣといった携帯型情報端末を利用すればよく、携帯端末の存在する位置情報を取得するためには、ＧＰＳ受信機や各通信事業者の提供する位置情報サービス等を利用すれば実現でき、日時や携帯端末の存在する位置に関する気温等の状態情報を取得するためには、各種のセンサやインターネット接続先のサーバを利用すれば実現でき、広告を配信するか否かの判定は、携帯端末により取得した状態情報と配信条件を比較すれば実現できる。従って、本システムは携帯端末へ簡易に実装できる。無論、同様な機能を備えたデスクトップＰＣ等の据え置き型の装置を用いても本システムを実現できることはいうまでもない。
【００６２】
また、本発明の提案する広告の構成について特に言及していないが、携帯端末が表示できるものであれば何でもよく、例えば、広告の構成として、テキスト、静止画、動画、音声はもちろん、テキストにＵＲＬ（ＵｎｉｆｏｒｍＲｅｓｏｕｒｃｅ Ｌｏｃａｔｏｒ）
を埋め込んでもよい。
【符号の説明】
【００６３】
１１１、１１２・・・携帯端末
１２１・・・アトラクション担当者
１２２・・・ユーザ
１３１・・・広告
１４１・・・遊園地
１５１・・・自宅
２１１、２１２、２１３・・・携帯端末
２２１、２２２、２２３・・・ユーザ
２３１、２３２・・・広告
３１１、３１２、３１３、３１４、３１５、３１６、３１７・・・携帯端末
３２１、３２２、３２３、３２４、３２５、３２６、３２７・・・ユーザ
３３１・・・広告
４００、４１０・・・携帯端末
４０１、４１１・・・入力装置
４０２、４１２・・・ＧＰＳ受信機
４０３、４１３・・・センサ
４０４、４１４・・・無線通信装置
４０５、４１５・・・制御装置
４０６、４１６・・・記憶装置
４０７、４１７・・・画面表示装置
４０８、４１８・・・音声出力装置
４０９、４１９・・・アンテナ
４２０・・・インターネット網
【図４】
2011107946.tif 000003
【図１】
2011107946.tif 000004
【図２】
2011107946.tif 000005
【図３】
2011107946.tif 000006